【手続補正書】
【提出日】平成20年8月25日(2008.8.25)
【手続補正１】
【補正対象書類名】明細書
【補正対象項目名】特許請求の範囲
【補正方法】変更
【補正の内容】
【特許請求の範囲】
【請求項１】 各々の信号ビットが関連するビット期間内に信号ビット速度で発生し且つ各々の信号ビットが交代的に第１の論理状態及び第２の論理状態を表しているような複数の信号ビットで構成されている直列ディジタル・ビット信号を、相対的に回転する第１の面から第２の面に結合する装置において、前記第１の面上に配置されていて、前記直列ディジタル・ビット信号をディジタル無線周波（ＲＦ）搬送波信号を用いて符号化してディジタル符号化直列ディジタル・ビット・データ信号を発生する信号送信器と、前記回転枠に配置された第１の素子及び前記不動の枠に配置された第２の素子を持ち、該第１の素子が前記信号送信器からの前記符号化直列ディジタル・ビット・データ信号を受取って、それを前記第２の素子に電磁結合するようにした電磁カップラと、前記第２の枠上に配置されていて、前記第２の素子に応答して前記ディジタル符号化直列ディジタル・ビット信号を符号化前の状態に変換する信号受信器と、を有し、
前記信号送信器は、前記直列ディジタル・ビット・データ信号の各々の第１の論理状態ビットに関連するビット期間だけをディジタル符号化し、前記信号受信器は、前記直列ディジタル・ビット・データ信号の符号化前の状態に対応して、受信した第１の論理状態の符号化信号を第１の論理状態ビット及び第２の論理状態ビットに変換することを特徴とする前記装置。
【請求項２】 前記信号送信器は、ＲＦパルス繰返し周波数で発生する複数個の直列パルスを用いて、各々の第１の論理状態ビットの各々のビット期間を符号化する請求項１記載の装置。
【請求項３】 前記信号送信器は、送信器クロック及び位相固定ループを含んでいて、前記データ信号ビット速度に同期したｔａｘｉクロック信号を発生し、該ｔａｘｉクロック信号が前記ディジタル符号化直列ディジタル・ビット・データ信号のビット期間の発生を制御して、それをデータ信号ビット速度と同期させ、前記信号受信器は、受信した前記ディジタル符号化直列ディジタル・ビット・データ信号から前記ｔａｘｉクロック信号を復元する信号検出回路を含んでいて、前記変換を前記データ信号ビット速度と同期させる請求項２記載の装置。
【請求項４】 前記信号送信器は、ＲＦパルス繰返し周波数で発生する既知の偶数の直列パルスを用いて、各々の前記第１の論理状態ビットの各々のビット期間を符号化し、前記信号受信器は、ビット期間内に前記既知の偶数個の直列パルスの大多数が存在する毎に、それを第１の論理状態の信号ビットとして変換すると共に、この他のすべての数の直列パルスが発生したことを第２の論理状態の信号ビットとして変換する請求項３記載の装置。
【請求項５】 前記信号送信器は、ＲＦパルス繰返し周波数で発生する既知の偶数個の直列パルスを用いて各々の前記第１の論理状態ビットの各々のビット期間を符号化し、前記信号受信器は、前記ｔａｘｉクロック信号から各々のビット期間の存在を検出すると共に、各々の検出されたビット期間内に発生する直列パルスを計数して、前記検出されたビット期間内に前記既知の偶数個の直列パルスの大多数が存在する度に、それを第１の論理状態の信号ビットとして変換すると共に、他のそれぞれの数の直列ビットが発生したことを第２の論理状態の信号ビットとして変換する請求項３記載の装置。
【請求項６】 前記信号送信器は、ＲＦパルス繰返し周波数で発生する４つの直列パルスを用いて、各々の前記第１の論理状態ビットの各々のビット期間を符号化し、前記信号受信器は、前記ｔａｘｉクロック信号から各々のビット期間の存在を検出すると共に、検出された各々のビット期間内に発生する直列パルスを計数して、検出されたビット期間内に前記４個のパルスの内の３個並びに前記４個のパルス内の４個が存在する度に、それを第１の論理状態の信号ビットとして変換すると共に、前記検出されたビット期間内のパルスなし並びに４個のパルスの内１個及び４個のパルスの内の３個が存在する度に、それを第２の論理状態の信号ビットとして変換する請求項３記載の装置。
【請求項７】 前記信号送信器は、前記データ信号ビット速度に対応する周波数より少なくとも４倍高いＲＦパルス繰り返し周波数で前記４つの直列パルスを発生する請求項６記載の装置。
【請求項８】 前記信号送信器は、略５０％デューティ・サイクルで前記４つの直列パルスを発生する請求項６記載の装置。
【請求項９】 前記信号送信器は更に、送信器クロック及び位相固定ループを含んでいて、前記データ信号ビット速度に同期したｔａｘｉクロック信号を発生し、該ｔａｘｉクロック信号が前記ディジタル符号化直列ディジタル・ビット・データ信号のビット期間の発生を制御して、それと前記データ信号ビット速度とを同期させ、前記信号受信器は、前記受信したディジタル符号化直列ディジタル・ビット・データ信号から前記ｔａｘｉクロック信号を復元する信号検出回路を含んでいて、前記変換を前記データ信号ビット信号と同期させる請求項１記載の装置。
【請求項１０】 前記信号送信器及び前記信号受信器の何れもエミッタ結合ロジック（ＥＣＬ）回路素子で構成されている請求項１記載の装置。
【請求項１１】 相対的に不動の枠に装着された回転枠を持つ形式であって、該回転枠がその中のイメージング平面に配置された試験物体を回転方向に取巻くようにした開口を持っていて、該回転枠の１つ又は更に多くの角度位置で試験物体のｘ線ビューを求めるようになっており、各々のビューが直列ディジタル・ビット・データ信号で構成され、各々の直列ディジタル・ビットが関連するビット期間内にデータ信号ビット速度で発生して、各々交代的に第１の論理状態及び第２の論理状態を表し、それらが包括的に所望のビューを表すようになっており、各々のビューに関連する直列ディジタル・ビット・データ信号が相対的に不動の枠に装着された信号プロセッサに供給され、該信号プロセッサがこのようなすべてのビューの合成として試験物体の断面画像を作るように構成されている計算機式断層撮影装置で、回転界面を横切って信号データを転送する方法において、ディジタル無線周波（ＲＦ）搬送波信号を用いて前記回転枠上で前記直列ディジタル・ビット・データ信号を符号化してディジタル符号化直列ディジタル・ビット・データ信号を発生する工程と、それぞれ前記回転枠上に配置された第１の素子及び不動の枠上に配置された第２の素子を持つ電磁カップラを用いて、前記ディジタル符号化直列ディジタル・ビット信号を前記第１の素子に加えて、該第１の素子から第２の素子へ電磁結合する工程と、前記第２の素子からディジタル符号化直列ディジタル・ビット・データ信号を受取り、該符号化信号を符号化前の状態に変換する工程と、有しており、
前記符号化する工程が、各々のビット期間の存在を確認する工程と、確認されたビット期間の中から、第１の論理状態ビットを持つビット期間を検出する工程と、各々の第１の論理状態のビット期間をディジタルＲＦ搬送波信号で変調する工程とを含んでいることを特徴とする前記方法。
【請求項１２】 前記変調する工程が、前記第１の論理状態の信号ビットを、ＲＦパルス繰返し周波数で発生する複数個の直列パルスに置換える工程を含んでいる請求項１１記載の方法。
【請求項１３】 更に、前記回転枠上でｔａｘｉクロック信号を発生する工程と、該ｔａｘｉクロック信号を前記データ信号ビット速度と同期させる工程と、同期させたｔａｘｉクロック信号を用いて、前記回転枠上でのディジタル符号化直列ディジタル・ビット・データ信号のビット期間の発生を制御して、それをデータ信号ビット速度と同期させるようにする工程と、受信したディジタル符号化直列ディジタル・ビット・データ信号から前記不動の枠で前記ｔａｘｉクロック信号を抽出して、前記変換を前記データ信号ビット速度と同期させる工程と、を含んでいる請求項１２記載の方法。
【請求項１４】 前記置換える工程が、前記複数個の直列のパルスをＲＦパルス繰返し周波数で発生する既知の偶数個の直列パルスとして用意する工程を含み、前記変換する工程が、ビット期間内に前記既知の偶数個の直列パルスの内の大多数が存在する毎に、それを第１の論理状態の信号ビットとして記録すると共に、この他の数の直列パルスが発生する度に、それを第２の論理状態の信号ビットとして記録する工程を含んでいる請求項１３記載の方法。
【請求項１５】 前記置換える工程が、前記複数個の直列パルスを、ＲＦパルス繰返し周波数で発生する既知の偶数個の直列パルスとして用意する工程を含み、前記変換する工程が、前記ｔａｘｉクロック信号から判断して各々のビット期間の存在を検出する工程と、このようにして検出された各々のビット期間内に発生する直列パルスを計数する工程と、こうして計数されたビット期間内に前記既知の偶数個の直列パルスの内の大多数が存在する度に、それを第１の論理状態の信号ビットとして記録すると共に、他の数の直列パルスが発生する度に、それを第２の論理状態の信号ビットとして記録する工程とを含んでいる請求項１３記載の方法。
【請求項１６】 前記置換える工程が、ＲＦパルス繰返し周波数で発生する４つの直列パルスを用意する工程を含み、前記変換する工程が、前記ｔａｘｉクロック信号から判断して各々のビット期間の存在を検出する工程と、こうして検出されたビット期間内に４つのパルスの内の３個並びに４つのパルスの内の４個が発生したことを第１の論理状態の信号ビットとして記録すると共に、前記検出されたビット期間内にパルスなし並びに４個のパルスの内の１個及び４個のパルスの内の３個が存在する度に、それを第２の論理状態の信号ビットとして記録する工程とを含んでいる請求項１３記載の方法。
【請求項１７】 イメージング平面内に配置された試験物体を回転方向に取巻くようにした開口を持つと共に、該開口の両側にそれぞれ配置されたｘ線源及び検出器配列を持つ回転枠であって、前記ｘ線源は前記開口の回転通路に沿った幾つかの角度位置の各々で前記イメージング平面内にｘ線を放出して、前記検出器配列が前記試験物体を通過した放出されたｘ線を受取り、また前記検出器配列は、それが受取ったｘ線の強度を表す画像信号を発生し、該画像信号の表示は直列ディジタル・ビット・データ信号であり、その各々の直列ディジタル・ビットは関連するビット期間内にデータ信号ビット速度で発生して、それぞれ交代的に第１の論理状態及び第２の論理状態を表し、それらが包括的に前記開口の関連する角度位置における試験物体のビューを表すように構成されている回転枠と、
該回転枠に対して固定である不動の枠あって、各々の前記角度位置における各々のビューに関連する前記直列ディジタル・ビット・データ信号を受取ると共に、前記ビューの合成として前記試験物体の断面画像を作るメモリつき信号プロセッサを持っている不動の枠とを更に有し、
前記信号送信器は前記回転枠上に配置されており、
前記第１及び第２の素子はそれぞれ前記回転枠及び前記不動の枠に配置されており、
前記信号受信器は前記不動の枠上に配置されている、請求項１記載の計算機式断層撮影装置。
【請求項１８】 前記電磁カップラはＲＦスリップリングで構成される請求項１７記載の計算機式断層撮影装置。
【請求項１９】 前記信号送信器及び前記信号受信器のいずれもエミッタ結合ロジック（ＥＣＬ）回路で構成されている請求項１７記載の計算機式断層撮影装置。